(57)【要約】【課題】足のサイズの変化に対応する靴を提供する。【解決手段】寿命が著しく延びる靴、特に子供用靴であり、特定の足入れ部Ｖ２を画定する底１２及び甲革１４を備える。スペーサ２０を取り付けることにより、靴長Ｌ２及び高さＣ２を、靴長Ｌ１及び高さＣ１に調節し、縮小足入れ部Ｖ１を決定する。少なくとも１つのスペーサ２０は、靴１０に対し、取り出し及びはめ込み自在である。子供靴に適用すれば、子供の足のサイズの変化に応じてスペーサ２０を取り外すことにより、靴を長く使用することができる。【選択図】図１
2007014774.tif 000002
【特許請求の範囲】
【請求項１】
底及び甲革により画定される足入れ部と、
前記足入れ部に着脱自在な少なくとも１つのスペーサとを備え、
前記スペーサの着脱により、前記足入れ部のつま先からかかとまでの距離である靴長と、前記足入れ部の所定の位置における底及び甲革間の距離である高さとを調節可能である、靴。
【請求項２】
前記スペーサは、前記足入れ部のつま先付近に取り付けられる、請求項１に記載の靴。
【請求項３】
前記スペーサは、底部及びつま先部を有し、前記足入れ部を画定する底の上面に取り付けられる、請求項２に記載の靴。
【請求項４】
前記スペーサの底部は、前記足入れ部の底の前部の輪郭に合わせて形成された前部曲線輪郭と、一定の厚みとを有している、請求項３に記載の靴。
【請求項５】
前記スペーサのつま先部は、スペーサの底部の前部曲線輪郭において、スペーサの底部と垂直に連結され、ほぼ一定の厚みを有している、請求項４に記載の靴。
【請求項６】
前記スペーサは、前記足入れ部の底の上面に位置し、前記足入れ部の底の輪郭に合わせて成形されている中底の一部である、請求項１に記載の靴。
【請求項７】
前記中底は、前記スペーサからなる前部と後部とから構成され、前記後部と前記スペーサとを取り外し自在に連結する固定手段を有している、請求項６に記載の靴。
【請求項８】
前記中底は、前記スペーサからなる前部と、前記スペーサに連結された後部と、から構成され、前記後部を前記スペーサから分離する剥離手段を有している、請求項６に記載の靴。
【請求項９】
前記中底は、地面から足への衝撃を吸収する素材を用いて形成されている、請求項６に記載の靴。
【請求項１０】
前記中底は、前記中底の輪郭に合わせて成形され、前記中底の後部に連結された上部被膜層を有している、請求項７または８に記載の靴。
【請求項１１】
底及び甲革により画定される足入れ部を有する靴の前記足入れ部に着脱可能であり、着脱により、前記足入れ部のつま先からかかとまでの距離である靴長と、前記足入れ部の所定の位置における底及び甲革間の距離である高さと、を調節可能な靴用スペーサ。
【請求項１２】
底及び甲革により画定される足入れ部を有する靴の中底であって、
着脱自在な少なくとも１つのスペーサを備え、
前記スペーサの着脱により、前記足入れ部のつま先からかかとまでの距離である靴長及び前記足入れ部の所定の位置における底及び甲革間の距離である高さが調節可能である、靴用中底。
【発明の詳細な説明】
【技術分野】
【０００１】
本発明は、概して靴に関する。特に、本発明は、特定の足入れ部を画定する底及び甲革を備え、特定の靴長及び高さが調節可能な子供用靴に関する。
本発明において、「靴長」とは、足入れ部先端、すなわちつま先から、足入れ部後端、すなわちかかとまでの距離である。「高さ」とは、前記つま先及び前記かかとの間の特定の位置において、底に対しほぼ垂直に測定された、底から甲革までの距離である。さらに詳細には、当業者には知られている通り、前述の高さが測定される特定の位置とは、中足骨が位置する部分である。
【背景技術】
【０００２】
正しい歩行のため、きつすぎる靴、大きすぎる靴、以前に他人が履いていた靴などは避ける方がよいことが知られている。きつすぎる靴は、足の血液循環を変え、足に汗をかきやすくなり、つま先の自然な動きを妨げる。また、靴が大きすぎると、靴の内側で足が摩擦され、擦り傷や皮膚硬結が生じやすい。さらに、他人が履いていた靴は、他人の足に適合していたため、足の柔らかい部位を傷つけ、多くの場合、前述した２つのケースのどちらかに陥ることになりがちである。
【０００３】
なかでも、成長期に足のサイズが急激に成長する子供や青年の靴に関して、専門家は、靴のサイズが合っているかを頻繁に確認することを勧めている。たとえば、きつくなった靴を次のサイズに変える場合などにおける確認の頻度は、下記(i)〜(iv)の通りである。
(i)１才から３才までの幼児の場合は、２ヶ月毎。
(ii)３才から６才までの子供の場合は、４ヶ月毎。
(iii)６才から１０才までの子供の場合は、６ヶ月毎。
(iv)１０才から１５才までの子供や少年は、８ヶ月毎。
【０００４】
前述の好ましくない靴を避けるために、なかでも足入れ部がつま先とかかとの間で実質的に閉じている靴の場合、前述の「きつすぎる靴」のケースに陥らないために、子供の足に小さすぎるようになった時点で、適切なサイズの靴と取り替える必要がある。
【発明の開示】
【発明が解決しようとする課題】
【０００５】
靴長と高さとの組み合わせは、特定の足入れ部を決定し、それが靴の特定サイズと対応付けられる。靴のサイズは、標準化ルールの対象となっており、国際的に認知された一連のサイズが存在するようになって久しい。言い換えると、きつすぎもせず、大きすぎもしない靴を見つけることが可能な様に、個々のサイズは画定されている。
前記サイズ規定に準拠して作られている靴は、様々な観点から好ましい点もあるが、欠点があることも確かである。子供用靴に関して言えば、第一の欠点は、頻繁に靴を変えなければならないという事実に関連している。つまり、非常に短期間しか使用されず靴が良い状態であるにも関わらず、靴を頻繁に変えなければならないということである。
【０００６】
本発明の課題は、足の大きさがたとえ急に変わる場合でも足に適合し、靴の交換頻度を減らすことが可能な靴を、容易でかつ費用効率の高い方法で考案し、提供することである。
【課題を解決するための手段】
【０００７】
本発明は、足入れ部を構成する底及び甲革を備えるタイプの靴であって、靴長及び高さを調節可能な靴を提供する。すなわち、本発明１は、底及び甲革により画定される足入れ部と、前記足入れ部に着脱自在な少なくとも１つのスペーサとを備える靴を提供する。前記スペーサの着脱により、前記足入れ部のつま先からかかとまでの距離である靴長と、前記足入れ部の所定の位置における底及び甲革間の距離である高さとを、調節可能である。
【０００８】
本発明２は、前記発明１において、前記スペーサが、前記足入れ部のつま先付近に取り付けられる靴を提供する。
本発明３は、前記発明２において、前記スペーサが、底部及びつま先部を有し、前記足入れ部を画定する底の上面に取り付けられる靴を提供する。
本発明４は、前記発明３において、前記スペーサの底部が、前記足入れ部の底の前部の輪郭に合わせて形成された前部曲線輪郭と、一定の厚みとを有している靴を提供する。
【０００９】
本発明５は、前記発明４において、前記スペーサのつま先部が、スペーサの底部の前部曲線輪郭において、スペーサの底部と垂直に連結され、ほぼ一定の厚みを有している靴を提供する。
本発明６は、前記発明１において、前記スペーサが、前記足入れ部の底の上面に位置し、前記足入れ部の底の輪郭に合わせて成形されている中底の一部である靴を提供する。
【００１０】
本発明７は、前記発明６において、前記中底が、前記スペーサからなる前部と後部とから構成され、前記後部と前記スペーサとを取り外し自在に連結する固定手段を有している靴を提供する。
本発明８は、前記発明６において、前記中底が、前記スペーサからなる前部と、前記スペーサに連結された後部と、から構成され、前記後部を前記スペーサから分離する剥離手段を有している靴を提供する。
【００１１】
本発明９は、前記発明６において、前記中底が地面から足への衝撃を吸収する素材を用いて形成されている靴を提供する。
本発明１０は、前記発明７または８において、前記中底が、前記中底の輪郭に合わせて成形され、前記中底の後部に連結された上部被膜層を有している靴を提供する。
本発明１１は、底及び甲革により画定される足入れ部を有する靴の前記足入れ部に着脱可能であり、着脱により、前記足入れ部のつま先からかかとまでの距離である靴長と、前記足入れ部の所定の位置における底及び甲革間の距離である高さとを調節可能な靴用スペーサを提供する。
【００１２】
本発明１２は、底及び甲革により画定される足入れ部を有する靴の中底であって、着脱自在な少なくとも１つのスペーサを備える靴用中底を提供する。前記スペーサの着脱により、前記足入れ部のつま先からかかとまでの距離である靴長及び前記足入れ部の所定の位置における底及び甲革間の距離である高さが調節可能である。
【発明の効果】
【００１３】
本発明に係る靴は、スペーサの脱着により、サイズの異なる足に対応することができる。そのため、靴をより長期間使用でき、靴の寿命を延ばすことができる。
【発明を実施するための最良の形態】
【００１４】
添付の図面を参照し、以下の好適な実施形態から、本発明にかかる靴、特に子供用靴のさらなる特徴及び利点が明らかになるであろう。なお、実施形態は説明のためであり、限定するために示されているものではない。
＜第１実施形態＞
まず、図１、２、３及び４を参照して本発明の第１実施形態を説明する。本発明に係る靴の全体は、参照番号１０で示す。図１は、スペーサ２０が取り付けられ、靴長Ｌ１及び高さＣ１で特定されるサイズの足２８ａが靴１０を着用している状態を示す。図２は、スペーサ２０が外され、足２８ａより大きなサイズの足２８ｂが靴１０を着用している状態を示す。図３は、スペーサ２０を取り付けた中底３０を示す。図４は、図３に示す中底３０の側面図である。
【００１５】
靴１０は、足入れ部Ｖ２を画定する底１２及び甲革１４を備える。特定の靴長Ｌ２及び特定の高さＣ２は、調節可能である。靴長Ｌ２は、足入れ部Ｖ２の先端、つまりつま先１６から、足入れ部Ｖ２の後端、つまりかかと１８までの距離である。高さＣ２は、つま先１６とかかと１８との間の特定の部分において、底１２に対してほぼ垂直に測定した場合の底１２と甲革１４との間の距離である。
【００１６】
スペーサ２０は、靴１０に対して取り出し及びはめ込み自在である。スペーサ２０のはめ込みにより縮小足入れ部Ｖ１を形成し、前記靴長Ｌ２及び前記高さＣ２を、縮小靴長Ｌ１（Ｌ１＜Ｌ２）及び縮小高さＣ１（Ｃ１＜Ｃ２）に調節可能である。スペーサ２０は、少なくとも前記足入れ部Ｖ２のつま先１６に取り付けることが好ましい。なお、本願において、スペーサ２０は、足の前部など、少なくとも足の一部分に着用されうるよう形成されている。
【００１７】
本実施形態では、ほぼ舟形のスペーサ２０は、底部２２及びつま先部２４を備え、靴１０内の底１２の上面の、足入れ部Ｖ２のつま先１６付近に取り付けられる。底部２２は、底１２の前部の輪郭に合わせて成形された前部曲線輪郭２６を有し、厚さＳ１はほぼ一定である。つま先部２４は、前部曲線輪郭２６において底部２２と連結され、底部２２とほぼ垂直をなし、ほぼ一定の所定の厚みＳ２を有している。従って、図２に示す靴１０のサイズ、すなわち靴長Ｌ２及び高さＣ２は、図１に示す靴のサイズ及びスペーサ２０のサイズと次の関係を有している。
【００１８】
（靴長Ｌ１）＋（スペーサ２０のつま先部２４の厚みＳ２）＝（靴長Ｌ２）
（高さＣ１）＋（スペーサ２０の底部２２の厚みＳ１）＝（高さＣ２）
言い換えれば、スペーサ２０を靴１０から取り出すことで、図１に示す足２８ａよりもサイズの大きい足２８ｂに対応する靴長Ｌ２及び高さＣ２を得ることができる。
スペーサ２０の出し入れに伴うサイズの変更幅は、あまり大きすぎないことが好ましい。具体的には、図２に示す靴１０のサイズは、図１に示す靴よりちょうど１サイズ大きな靴のサイズになることが好ましい。たとえば、スペーサ２０を取り出すことで、サイズが「２６」から「２７」になることが挙げられる。
【００１９】
図１、２、３及び４に示す第１実施形態において、中底３０は、靴１０内の底１２上部に位置し、ほぼ底１２の輪郭に合わせて成形されている。
中底３０は前部と後部とに分けられ、中底３０の前部はスペーサ２０により構成される。中底３０の後部３２は、ボタンファスナ３６（図３に図示）、ありつぎファスナ、ベルクロ（登録商標）ファスナ、接着剤などの固定手段３４により、スペーサ２０に対し連結及び取り外しが自在につなぎ合わされている。固定手段３４は、スペーサ２０の底部２２の下面に設けられることが好ましい。
【００２０】
図２に示す通り、スペーサ２０が取り外された後でも、中底３０の後部３２は、底１２の後部に位置したままである。このため、中底３０の後部３２は、たとえば底１２の後部に接着しておいてもよい。
中底３０は、地面から足への衝撃を吸収することができるような素材、たとえば展伸材を用いて形成することができる。また中底３０は、足の快適さを向上させるための、身体構造を考慮した構造を有することも可能である。
【００２１】
中底３０は、足止めの機能を有した、たとえば革の上部被覆層を備えることが望ましい。上部被膜層は、中底３０の輪郭にほぼ合わせ成形され、中底３０の後部３２にのみつながっており、スペーサ２０が取り出された場合、上部被膜層の前部は、底１２の前部に直接置かれる。
上部被膜層とできれば中底３０とに、孔を開けてある程度特定の発散作用を確保しておくとよい。
【００２２】
＜第２実施形態＞
図５、６、７、８、９及び１０は、本発明の第２実施形態に係る中底を示し、中底全体を参照番号１３０で示す。中底３０と同様の機能を有する構成要素には、同一の参照番号を付している。
固定手段３４は、２つのボタンファスナを備えている。すなわち、スペーサ２０の底部２２上の後側には、一対の凸部１３６が設けられている。また、中底１３０の中央部３２の下側には、対応する一対の凹部１３８が、スペーサ２０の凸部１３６と係合するように設けられている。
【００２３】
＜第３実施形態＞
図１１及び１２に本発明の第３実施形態に係る中底２３０を示す。中底３０と同様の機能を有する構成要素には同一の参照番号を付している。
本実施形態において、スペーサ２０の底部２２は、裂離手段２４０を介し、中底２３０の後部３２に連結されている。たとえば、剥離手段２４０は、手でも裂くことができる薄さの部分２４２を備え、中底２３０の中央部３２と、スペーサ２０とを分離することができる。中央部３２は靴の中に残り、スペーサ２０は取り出される。
【００２４】
＜その他の実施形態＞
本発明の別の実施形態において、靴は、縮小足入れ部を決定する、取り出し及びはめ込み可能なスペーサを複数備えるようにすることもでき、特定の靴長及び特定の高さに対し、縮小靴長及び縮小高さが調節可能である。
言い換えれば、図面を参照しながら説明したスペーサ２０は、多くの部分に分けて作ることもできる。たとえば、上述した底部２２及びつま先部２４は、一体ではなく、別々に分かれていてもよい。
【００２５】
また、上述したタイプの２つ以上のスペーサを互いの上に重ね、個々を取り出し可能に設けることにより、３サイズ以上の足に対応できるよう３段階以上の靴長及び高さに調整できるようにすることも可能である。この場合、スペーサを重ねて着用し、足の成長に合わせて１つずつ取り外していくとよい。
本発明は、前述の取り出し及びはめ込み可能なスペーサを含む中底に加え、前述のタイプの取り出し及びはめ込み可能なスペーサにも関するものである。なお、靴とは別途に、前述の中底及びスペーサを商品化することも可能である。
【００２６】
以上述べたように、本発明に係る靴は、スペーサの脱着により、サイズの異なる足に対応することができる。そのため、靴をより長期間使用でき、靴の寿命が著しく延びると言う効果を奏する。本発明を子供用靴に適用すれば、子供の成長期に靴を買い換える回数を減少させることが可能である。
もちろん、当業者であれば、特定の偶発的な要請を満たすため、上述の靴に数々の修正変更を加えることが可能であるが、それらは全て以下の請求項により定められる本発明の範囲内に含まれるものである。
【産業上の利用可能性】
【００２７】
本発明は、靴、例えば足のサイズが変わりやすい子供の靴に、好適に適用することができる。
【図面の簡単な説明】
【００２８】
【図１】本発明の第１実施形態に係る靴にスペーサを取り付けた場合の側面断面図
【図２】本発明の第１実施形態に係る靴からスペーサをはずした場合の側面断面図
【図３】図１に示す靴の中底の平面図
【図４】図３に示す中底の側面図。
【図５】第２実施形態における中底の平面図。
【図６】図５に示す中底を側方から見た側面図
【図７】図５に示す中底を後方から見た側面図
【図８】図５に示す中底の斜視図
【図９】図８に示す中底を裏返した場合の拡大斜視図
【図１０】図８に示すスペーサの拡大斜視図
【図１１】第３実施形態における中底の平面図
【図１２】図１１に示す中底のＸＩＩ−ＸＩＩ断面側面図
【図１】
2007014774.tif 000003
【図２】
2007014774.tif 000004
【図３】
2007014774.tif 000005
【図４】
2007014774.tif 000006
【図５】
2007014774.tif 000007
【図６】
2007014774.tif 000008
【図７】
2007014774.tif 000009
【図８】
2007014774.tif 000010
【図９】
2007014774.tif 000011
【図１０】
2007014774.tif 000012
【図１１】
2007014774.tif 000013
【図１２】
2007014774.tif 000014